(57)【要約】【課題】撮影感度設定に関する機能を複数備えたカメラにおいても、撮影状況に応じて撮影感度を自動で設定して良好な画像を撮影することができるようにする。【解決手段】シャッタスピードが手振れ秒時（１／ｆ）より低速秒時である場合、システム制御部５０は、ＩＳＯ感度がオートＩＳＯであるか否かを判別する（Ｓ３８）。オートＩＳＯである場合、システム制御部５０は、１／ｆのシャッタスピードを設定する（Ｓ３９）。ＩＳＯセイフティシフト設定の項目が「する」に選択されている場合、システム制御部５０は、ＩＳＯ制御範囲の設定を無視して自動ＩＳＯシフト演算を行う（Ｓ４１）。一方、ＩＳＯセイフティシフト設定の項目が「しない」に選択されている場合、システム制御部５０は、ＩＳＯ制御範囲の設定内で自動ＩＳＯシフト演算を行う（Ｓ４２）。【選択図】図６
2011087107.tif 000002
【特許請求の範囲】
【請求項１】
被写体の光学像を撮像する撮像手段を備え、前記撮像手段の撮影感度を設定する撮像装置であって、
前記撮影感度の範囲を設定する感度範囲設定手段と、
前記被写体の輝度情報をもとに、前記撮影感度を自動で決定する感度決定手段と、
前記感度範囲設定手段によって設定される撮影感度の範囲の変更を許可するか否かを選択する範囲選択手段とを備え、
前記感度決定手段は、
前記範囲選択手段によって前記撮影感度の範囲の変更を許可する選択がされていない場合、前記感度範囲設定手段によって設定された撮影感度の範囲内で、前記撮影感度を決定し、
前記範囲選択手段によって前記撮影感度の範囲の変更を許可する選択がされている場合、前記感度範囲設定手段によって設定された撮影感度の範囲に従うことなく、前記撮影感度を決定することを特徴とする撮像装置。
【請求項２】
被写体の光学像を撮像する撮像手段を備え、前記撮像手段の撮影感度を設定する撮像装置であって、
前記撮影感度の範囲を設定する感度範囲設定手段と、
前記被写体の輝度情報をもとに、前記撮影感度を自動で決定する感度決定手段とを備え、
前記感度決定手段は、前記感度範囲設定手段によって設定された撮影感度の範囲内で、前記撮影感度を決定し、さらに、前記決定された撮影感度で適正な露出が得られない場合、前記感度範囲設定手段によって設定された撮影感度の範囲に従うことなく、再度、前記撮影感度を決定することを特徴とする撮像装置。
【請求項３】
前記被写体の輝度情報をもとにシャッタ速度を演算するシャッタ速度演算手段を備え、
前記シャッタ速度演算手段によって演算されたシャッタ速度が手振れ秒時よりも遅い場合、前記シャッタ速度を前記手振れ秒時以上の値とし、前記感度決定手段は、前記撮影感度を決定することを特徴とする請求項１または２記載の撮像装置。
【請求項４】
前記感度決定手段により決定された撮影感度で適正な露出が得られない場合、前記シャッタ速度を前記手振れ秒時よりも遅い値に設定することを特徴とする請求項３記載の撮像装置。
【請求項５】
前記感度決定手段を有効にするか否かを選択する決定選択手段を備え、
前記決定選択手段によって有効にすると選択された場合、前記感度決定手段は自動で前記撮影感度を決定し、
前記決定選択手段によって有効にすると選択されず、かつ、前記範囲選択手段によって前記撮影感度の範囲の変更を許可する選択がされている場合であって、適正な露出が得られない場合、前記感度決定手段は、前記感度範囲設定手段によって設定された撮影感度の範囲に従うことなく、前記感度を決定することを特徴とする請求項１または２記載の撮像装置。
【請求項６】
被写体の光学像を撮像する撮像手段の撮影感度を設定する撮像装置の制御方法であって、
前記撮影感度の範囲を設定する感度範囲設定ステップと、
前記被写体の輝度情報をもとに、前記撮影感度を自動で決定する感度決定ステップと、
前記感度範囲設定ステップで設定される撮影感度の範囲の変更を許可するか否かを選択する範囲選択ステップとを有し、
前記感度決定ステップでは、
前記範囲選択ステップで前記撮影感度の範囲の変更を許可する選択がされていない場合、前記感度範囲設定ステップで設定された撮影感度の範囲内で、前記撮影感度を決定し、
前記範囲選択ステップで前記撮影感度の範囲の変更を許可する選択がされている場合、前記感度範囲設定ステップで設定された撮影感度の範囲に従うことなく、前記撮影感度を決定することを特徴とする撮像装置の制御方法。
【請求項７】
被写体の光学像を撮像する撮像手段の撮影感度を設定する撮像装置の制御方法であって、
前記撮影感度の範囲を設定する感度範囲設定ステップと、
前記被写体の輝度情報をもとに、前記撮影感度を自動で決定する感度決定ステップとを有し、
前記感度決定ステップでは、前記感度範囲設定ステップで設定された撮影感度の範囲内で、前記撮影感度を決定し、さらに、前記決定された撮影感度で適正な露出が得られない場合、前記感度範囲設定ステップで設定された撮影感度の範囲に従うことなく、再度、前記撮影感度を決定することを特徴とする撮像装置の制御方法。
【請求項８】
被写体の光学像を撮像する撮像手段の撮影感度を設定する撮像装置の制御方法をコンピュータに実行させるプログラムであって、
前記制御方法は、
前記撮影感度の範囲を設定する感度範囲設定ステップと、
前記被写体の輝度情報をもとに、前記撮影感度を自動で決定する感度決定ステップと、
前記感度範囲設定ステップで設定される撮影感度の範囲の変更を許可するか否かを選択する範囲選択ステップとを有し、
前記感度決定ステップでは、
前記範囲選択ステップで前記撮影感度の範囲の変更を許可する選択がされていない場合、前記感度範囲設定ステップで設定された撮影感度の範囲内で、前記撮影感度を決定し、
前記範囲選択ステップで前記感度の範囲の変更を許可する選択がされている場合、前記感度範囲設定ステップで設定された撮影感度の範囲に従うことなく、前記撮影感度を決定することを特徴とするプログラム。
【請求項９】
被写体の光学像を撮像する撮像手段の撮影感度を設定する撮像装置の制御方法をコンピュータに実行させるプログラムであって、
前記制御方法は、
前記撮影感度の範囲を設定する感度範囲設定ステップと、
前記被写体の輝度情報をもとに、前記撮影感度を自動で決定する感度決定ステップとを有し、
前記感度決定ステップでは、前記感度範囲設定ステップで設定された撮影感度の範囲内で、前記撮影感度を決定し、さらに、前記決定された撮影感度で適正な露出が得られない場合、前記感度範囲設定ステップで設定された撮影感度の範囲に従うことなく、再度、前記撮影感度を決定することを特徴とするプログラム。
【発明の詳細な説明】
【技術分野】
【０００１】
本発明は、感度を自動で設定する撮像装置、その制御方法及びプログラムに関する。
【背景技術】
【０００２】
従来、デジタルカメラのＩＳＯ感度に関し、つぎのような機能が知られている。ＩＳＯ感度範囲設定機能は、ＩＳＯ感度範囲を設定する機能である。また、ＩＳＯセイフティシフト機能は、適正な露出が得られるようにＩＳＯ感度を自動でシフトさせる機能である。また、ＩＳＯ自動設定機能（以下、オートＩＳＯともいう）は、ＩＳＯ感度を自動で設定する機能である。
【０００３】
例えば、特許文献１には、被写界深度優先モードの撮影時、手ブレし難いＴＶ値を自動でセットするために、ＩＳＯ感度設定を自動でシフトさせることで、撮影者が撮影状況に応じて手動でＩＳＯ感度を設定し直さなくてもよくする方法が開示されている。  
【先行技術文献】
【特許文献】
【０００４】
【特許文献１】特開２００３−１５８６６７号公報
【発明の概要】
【発明が解決しようとする課題】
【０００５】
しかしながら、上記従来技術として、特許文献１には、ＩＳＯ感度を自動で設定する機能しか記載されておらず、前述したＩＳＯ感度範囲設定機能やＩＳＯセイフティシフト機能などの機能については記載されていなかった。
【０００６】
そのため、前述したようなＩＳＯ感度の設定に関する機能を複数備えたカメラにおいて、良好な画像を撮影するために互いの機能をどのように制御すればよいか考慮されていなかった。
【０００７】
そこで、本発明は、撮影感度設定に関する機能を複数備えたカメラにおいても、撮影状況に応じて撮影感度を自動で設定して良好な画像を撮影することができるようにすることにある。
【課題を解決するための手段】
【０００８】
上記目的を達成するために、本発明にかかる撮像装置は、被写体の光学像を撮像する撮像手段を備え、前記撮像手段の撮影感度を設定する撮像装置であって、前記撮影感度の範囲を設定する感度範囲設定手段と、前記被写体の輝度情報をもとに、前記撮影感度を自動で決定する感度決定手段と、前記感度範囲設定手段によって設定される撮影感度の範囲の変更を許可するか否かを選択する範囲選択手段とを備え、前記感度決定手段は、前記範囲選択手段によって前記撮影感度の範囲の変更を許可する選択がされていない場合、前記感度範囲設定手段によって設定された撮影感度の範囲内で、前記撮影感度を決定し、前記範囲選択手段によって前記撮影感度の範囲の変更を許可する選択がされている場合、前記感度範囲設定手段によって設定された撮影感度の範囲に従うことなく、前記撮影感度を決定することを特徴とする。
【０００９】
また、本発明にかかる撮像装置は、被写体の光学像を撮像する撮像手段を備え、前記撮像手段の撮影感度を設定する撮像装置であって、前記撮影感度の範囲を設定する感度範囲設定手段と、前記被写体の輝度情報をもとに、前記撮影感度を自動で決定する感度決定手段とを備え、前記感度決定手段は、前記感度範囲設定手段によって設定された撮影感度の範囲内で、前記撮影感度を決定し、さらに、前記決定された撮影感度で適正な露出が得られない場合、前記感度範囲設定手段によって設定された撮影感度の範囲に従うことなく、再度、前記撮影感度を決定することを特徴とする。
【発明の効果】
【００１０】
本発明によれば、撮影感度設定に関する機能を複数備えたカメラにおいても、撮影状況に応じて撮影感度を自動で設定して良好な画像を撮影することができる。
【図面の簡単な説明】
【００１１】
【図１】第１の実施形態における撮像装置としての一眼レフレックスカメラの構成を示す図である。
【図２】モードダイヤルスイッチ６０の上面を示す図である。
【図３】画像表示部２８に表示されるＩＳＯ感度の設定に関する機能の設定画面を示す図である。
【図４】カメラにおける撮影および設定処理の手順を示すフローチャートである。
【図５】ステップＳ９における測光演算処理手順を示すフローチャートである。
【図６】ステップＳ２４におけるＡｖ優先モード用演算処理手順を示すフローチャートである。
【図７】ステップＳ２８におけるプログラムモード用演算処理手順を示すフローチャートである。
【図８】第２の実施形態のステップＳ２４におけるＡｖ優先モード用演算処理手順を示すフローチャートである。
【図９】ステップＳ２８におけるプログラムモード用演算処理手順を示すフローチャートである。
【発明を実施するための形態】
【００１２】
［第１の実施形態］
図１は第１の実施形態における撮像装置としての一眼レフレックスカメラの構成を示す図である。一眼レフレックスカメラ（以下、カメラという）１００には、カメラ１００に対して着脱可能な交換レンズ２２０が装着される。
【００１３】
カメラ１００において、主ミラー２は、撮影光路に対し、観察状態で斜めの位置あるいは撮影状態で退避した位置に移動自在である。サブミラー３は、撮影光路に対して斜めに配置され、主ミラー２を透過した光束を、カメラボディの下方に向けて反射し、焦点検出装置６に導く。
【００１４】
シャッタ４は撮像素子５の露出量を制御する。撮像素子５は、ＣＣＤセンサやＣＭＯＳセンサ等から構成される。撮像素子５は、交換レンズ２２０を通して結像した被写体の光学像を光電変換する。測光センサ７は、主ミラー２で反射した光束の一部を入射し、被写体の輝度信号を測光回路４２に出力する。
【００１５】
Ａ／Ｄ変換器１６は、撮像素子５からのアナログ撮像信号をデジタル信号に変換する。タイミング発生回路１８は、撮像素子５、Ａ／Ｄ変換器１６およびＤ／Ａ変換器２６にクロック信号を供給する。タイミング発生回路１８は、メモリ制御回路２２およびシステム制御部５０により制御される。
【００１６】
画像処理回路２０は、Ａ／Ｄ変換器１６あるいはメモリ制御回路２２からのデジタル撮像信号に対し、画素補間処理、色変換処理、ＡＷＢ（オートホワイトバランス）処理等の各種画像処理を行い、画像信号（映像）を生成する。焦点検出装置６は、複数の測距エリアを有する位相差検出用のセンサを含む。
【００１７】
システム制御部５０は、焦点検出装置６の蓄積制御や読み出し制御を行い、周知の位相差検出方法によりデフォーカス量を算出する。システム制御部５０は、カメラ１００全体の動作やデフォーカス量などから、交換レンズ２２０のフォーカス駆動や絞り駆動を制御する。また、システム制御部５０は、図示しない記憶制御機能および表示制御機能を有する。
【００１８】
メモリ制御回路２２は、Ａ／Ｄ変換器１６、タイミング発生回路１８、画像処理回路２０、画像表示メモリ２４、Ｄ／Ａ変換器２６、メモリ３０および圧縮伸長回路３２を制御する。
【００１９】
画像処理回路２０からの画像信号あるいはＡ／Ｄ変換器１６からのデジタル撮像信号は、メモリ制御回路２２を介して画像表示メモリ２４、メモリ３０やシステム制御部５０に送られる。
【００２０】
画像表示部２８は、ＬＣＤやＴＦＴ等から構成される。画像表示メモリ２４に書き込まれた表示用画像データやカメラの設定メニューなどの画像データは、Ｄ／Ａ変換器２６を介して画像表示部２８に送られ、画像表示部２８に表示される。メモリ３０は、生成された静止画像を格納する。また、メモリ３０は、システム制御部５０の作業領域としても使用される。
【００２１】
圧縮伸長回路３２は、適応離散コサイン変換（ＡＤＣＴ）等により画像データを圧縮伸長する。圧縮伸長回路３２は、メモリ３０に格納された画像データを読み込んで圧縮処理あるいは伸長処理を行い、処理を終えた画像データを再びメモリ３０に書き込む。
【００２２】
露光制御回路４０は、シャッタ４を制御するとともに、システム制御部５０を介して交換レンズ２２０の絞り２２４も制御する。測光回路４２は、測光センサ７から出力される信号をシステム制御部５０に出力する。
【００２３】
メモリ５２は、システム制御部５０の動作用の定数、変数、コンピュータプログラム等のデータを記憶する。不揮発性メモリ５４は、データを電気的に消去・記録可能なメモリである。不揮発性メモリ５４には、ＥＥＰＲＯＭ等が用いられる。
【００２４】
情報出力部５６は、文字、画像、音声等を用いてカメラ１００の動作状態やメッセージ等の情報を出力する。情報出力部５６は、液晶表示素子やスピーカ等から構成される。
【００２５】
モードダイヤルスイッチ６０（図２参照）は、電源のＯＦＦや、撮像モード（絞り優先モードやプログラムモード等）の切り替えを設定するための操作部材である。シャッタスイッチ６２は、撮像準備スイッチ（ＳＷ１）と撮影開始スイッチ（ＳＷ２）からなる。シャッタボタン（図示せず）の第１ストローク操作（半押し）により、撮像準備スイッチ（ＳＷ１）がＯＮとなり、測光（ＡＥ処理）およびＡＦ処理等の撮像準備動作が開始する。さらに、シャッタボタンの第２ストローク操作（全押し）により、撮影開始スイッチ（ＳＷ２）がＯＮとなり、撮像動作が開始する。
【００２６】
ここで、撮像動作には、シャッタ４の開閉動作、撮像素子５からの撮像信号に基づいて画像処理回路２０で画像信号を生成する動作、およびメモリ制御回路２２を介して画像信号をメモリ３０に書き込む動作が含まれる。また、メモリ３０から画像データを読み出して、圧縮伸長回路３２で圧縮し、記録媒体２００，２１０に記録する動作も含まれる。これら一連の撮像動作は、記録用画像の取得動作とも称される。
【００２７】
記録媒体２００，２１０は、半導体メモリや光ディスク等から構成される。操作部７０は、各種ボタンやタッチパネル等を含み、カメラ１００の機能選択や各種設定を行うためのメニュー画面を表示したり、メニュー項目を決定するために操作される。
【００２８】
電源制御回路７８は、電池残量の検出を行う電池検出回路、電池からの電源電圧を所定の動作電圧に変換するＤＣ−ＤＣコンバータ、通電するブロックを切り替えるスイッチ回路等を含む。電池８０はカメラ１００に着脱可能である。電池８０内の電源８６には、アルカリ電池やリチウム電池等の一次電池や、ＮｉＭＨ電池、Ｌｉ電池等の二次電池が使用される。コネクタ８２，８４は、電源８６とカメラ１００との電気的接続を行う。
【００２９】
インタフェース９０，９４は、それぞれ記録媒体２００，２１０と通信を行うものである。コネクタ９２，９６は、それぞれ記録媒体２００，２１０に接続される。記録媒体着脱検知器９８は、コネクタ９２，９６に記録媒体２００，２１０がそれぞれ装着されているか否かを検知する。
【００３０】
通信部１１０は、ＲＳ２３２Ｃ、ＵＳＢ、ＩＥＥＥ１３９４、無線通信等の通信機能を有する。コネクタ１１２は、通信部１１０を介してカメラ１００に他の機器を接続するものである。無線通信を行う場合、通信部１１０には、アンテナが接続される。
【００３１】
記録媒体２００，２１０は、それぞれカメラ１００と通信を行うためのインタフェース２０４，２１４、およびカメラ１００と電気的接続を行うコネクタ２０６，２１６を有する。記録部２０２，２１２には、それぞれカメラ１００から出力される圧縮画像データが書き込まれる。
【００３２】
一方、交換レンズ２２０において、撮像レンズ群１は、複数のレンズから構成され、光軸方向に移動してフォーカス調整を行うフォーカスレンズや、光軸方向に移動して変倍を行うズームレンズを含む。絞り２２４は、撮像素子５に到達する光量を調節する。撮像光学系は、撮像レンズ群１および絞り２２４から構成される。
【００３３】
レンズ駆動回路２２６は、システム制御部５０からの制御信号に従って、フォーカスレンズ、ズームレンズおよび絞り２２４を駆動するアクチュエータ（図示せず）を制御する。また、レンズ駆動回路２２６は、撮影レンズ動作用の定数、変数、プログラム等を記憶するメモリ機能を備える。その他、レンズ駆動回路２２６は、撮影レンズ固有の番号等の識別情報、管理情報、開放絞り値や最小絞り値、焦点距離等の機能情報、現在や過去の各設定値等を記憶する不揮発メモリの機能も備える。
【００３４】
コネクタ２２８は、カメラ１００の通信接点部４１と接続され、レンズ駆動回路２２６およびシステム制御部５０間の通信を可能とする。また、コネクタ２２８は、電源８６からの電源電圧を交換レンズ２２０内に供給する。
【００３５】
図２はモードダイヤルスイッチ６０の上面を示す図である。モードダイヤルスイッチ６０は、電源のＯＦＦ、撮影モードであるＰ（プログラム）、Ｔｖ（シャッタ優先モード）、Ａｖ（絞り優先モード）およびＭ（マニュアルモード）が選択可能である。モードダイヤルスイッチ６０を回転させることで、これらのモードのうちいずれかのモードを選択することができる。
【００３６】
図３は画像表示部２８に表示されるＩＳＯ感度の設定に関する機能の設定画面を示す図である。図４はカメラにおける撮影および設定処理の手順を示すフローチャートである。この処理はシステム制御部５０によって実行される。
【００３７】
システム制御部５０は、レジスタの初期化、データの初期化、周辺部の初期化等の初期設定を行う（ステップＳ１）。
【００３８】
システム制御部５０は、操作部７０のカメラ設定ボタン（ＭＥＮＵ釦、ＳＥＴ釦など）、シャッタボタン、メイン電子ダイヤル、サブ電子ダイヤル、モードダイヤルスイッチ６０等の状態を検出する（ステップＳ２）。
【００３９】
システム制御部５０は、カメラの各種設定を行うためのＭＥＮＵ釦が押されているか否かを判別する（ステップＳ３）。ＭＥＮＵ釦が押されている場合、システム制御部５０は、カメラの各種設定を行い（ステップＳ４）、ステップＳ２の処理に戻る。一方、ＭＥＮＵ釦が押されていない場合、システム制御部５０は、ステップＳ５の処理に進む。
【００４０】
ここで、図３の設定画面における各種設定内容について説明する。図３の（ａ）はＭＥＮＵ画面を示す。ＭＥＮＵ画面が表示された状態において電子ダイヤルを操作することでＭＥＮＵ１〜ＭＥＮＵ４のいずれかのタグを選択することができる。また、サブ電子ダイヤル（図示せず）で各ＭＥＮＵの項目を選択することができる。また、ＳＥＴ釦（図示せず）を押すことで選択を確定させることができる。
【００４１】
本実施形態では、ＩＳＯ感度設定、ＩＳＯ感度の制御範囲の設定およびＩＳＯセイフティシフト設定の項目は、ＭＥＮＵ４に割り当てられている。図３（ａ）のＭＥＮＵ画面で、「ＩＳＯ感度設定」の項目が選択されると、図３（ｂ）の「ＩＳＯ感度設定」画面の表示に切り替わる。「ＩＳＯ感度設定」画面では、現在選択されているＩＳＯ感度に、点滅する枠（点線部分）が表示される。この画面では、ＩＳＯ感度として、ＡＵＴＯ（オートＩＳＯ）、あるいは「１００」〜「３２００」の任意の値が設定可能である。また、この画面でＡＵＴＯを設定するか否かによって、オートＩＳＯ機能を有効にするか否かを選択することになり、これは決定選択手段に相当する。なお、図３において、点線部分は点滅表示されている部分を表す。
【００４２】
ＩＳＯ感度は、オートＩＳＯとＩＳＯ感度の制御範囲とで決定される。ＩＳＯ感度の制御範囲は、図３（ｃ）の「ＩＳＯ感度の制御範囲の設定」画面で、設定された範囲が表示され、サブ電子ダイヤルによって選択された後、ＳＥＴ釦を押すことで設定される。
【００４３】
図３（ａ）で「ＩＳＯ感度の制御範囲の設定」の項目が選択されると、図３（ｃ）の「ＩＳＯ感度の制御範囲の設定」画面に表示が切り替わり、現在選択されている項目の枠が点滅表示（点線部分）される。
【００４４】
図３（ｃ）の「ＩＳＯ感度の制御範囲の設定」画面で「上限」の枠が点滅している時、ＳＥＴ釦を押すと、その項目が選択される。そして、図３（ｄ）に示すように、ＩＳＯ感度の上限値の枠が点滅し、サブ電子ダイヤルで数値を変更することができる。この時、ＳＥＴ釦を押すことで、上限値が決定される。また、ＩＳＯ感度の下限値も同様の手順で設定可能である。
【００４５】
図３（ａ）の「ＩＳＯセイフティシフト設定」画面が選択されると、図３（ｅ）の「ＩＳＯセイフティシフト設定」画面に表示が切り替わり、現在選択されている項目の枠が点滅表示される。
【００４６】
図３（ｅ）の「ＩＳＯセイフティシフト設定」画面で、「しない・する」の項目のいずれかでＳＥＴ釦を押すと、選択されている内容（図３（ｆ）では、「する」の項目）の枠が点滅表示される。この状態で、サブ電子ダイヤルで「しない」または「する」のいずれかの項目が選択可能である。そして、ＳＥＴ釦を押すことで、選択された項目が決定する。
【００４７】
このような操作により、ステップＳ４の処理において、ＩＳＯ感度設定、ＩＳＯ感度の制御範囲の設定およびＩＳＯセイフティシフト設定が行われる。なお、このＩＳＯ感度の制御範囲の設定は感度範囲設定手段に相当する。また、ＩＳＯセイフティシフト設定は範囲選択手段に相当する。
【００４８】
システム制御部５０は、ステップＳ３でＭＥＮＵ釦が押されていない場合、測光／ＡＦ開始ＳＷ、つまり撮像準備スイッチ（ＳＷ１）がオフであるか否かを判別する（ステップＳ５）。測光／ＡＦ開始ＳＷがオフである場合、システム制御部５０は、ステップＳ１４の処理に進む。
【００４９】
一方、測光／ＡＦ開始ＳＷがオフである場合、システム制御部５０は、装着された交換レンズ（撮影レンズ）２２０の各種情報を読み取る（ステップＳ６）。交換レンズ２２０からレンズ情報を取得する際、システム制御部５０は、交換レンズ２２０と通信を行い、交換レンズ２２０のレンズ情報を取得する。レンズ情報には、レンズ固有情報、焦点距離、絞り値、フォーカスレンズ位置などの情報が含まれている。
【００５０】
システム制御部５０は、被写体に焦点を合わせるために、周知の位相差検出方式による測距演算を行う（ステップＳ７）。システム制御部５０は、前述した測距演算によるデータをもとに、レンズ駆動量を算出してレンズを駆動する（ステップＳ８）。
【００５１】
システム制御部５０は、測光回路４２からの出力、設定されたＩＳＯ感度、撮影モード等のカメラ設定情報から、シャッタスピード（撮像素子の電荷蓄積時間）、絞り値等を決定するための測光演算処理を行う（ステップＳ９）。
【００５２】
図５はステップＳ９における測光演算処理手順を示すフローチャートである。システム制御部５０は、モードダイヤルスイッチ６０の設定位置がマニュアルモードに設定されているか否かを判別する（ステップＳ２１）。マニュアルモードに設定されている場合、システム制御部５０は、ユーザが設定したシャッタスピードや絞り値を用いて測光演算を行う（ステップＳ２２）。
【００５３】
一方、マニュアルモードでない場合、システム制御部５０は、Ａｖ優先モードであるか否かを判別する（ステップＳ２３）。Ａｖ優先モードである場合、システム制御部５０は、Ａｖ優先モード用演算を行う（ステップＳ２４）。
【００５４】
図６はステップＳ２４におけるＡｖ優先モード用演算処理手順を示すフローチャートである。システム制御部５０は、ＩＳＯ感度がオートＩＳＯであるか否かを判別する（ステップＳ３１）。オートＩＳＯである場合、システム制御部５０は、ＩＳＯセイフティシフト設定の項目が「する」に選択されているか否かを判別する（ステップＳ３２）。
【００５５】
ＩＳＯセイフティシフト設定の項目が「する」に選択されている場合、システム制御部５０は、撮影時に使用される内部メモリのＩＳＯ領域に値１００を設定する（ステップＳ３３）。なお、内部メモリの代わりに、例えばメモリ５２に設定してもよい。この後、システム制御部５０はステップＳ３６の処理に進む。
【００５６】
一方、ＩＳＯセイフティシフト設定の項目が「しない」に選択されている場合、システム制御部５０は、前述した内部メモリのＩＳＯ領域に、ＩＳＯ感度の制御範囲の設定の項目で設定されている下限値を設定する（ステップＳ３５）。この後、システム制御部５０はステップＳ３６の処理に進む。ここで、図６の「ＩＳＯ」、「Ｔｖ」は、それぞれ撮影時に制御されるＩＳＯ感度とシャッタスピードを格納しているメモリ領域の値を指す。
【００５７】
ステップＳ３１でＩＳＯ感度がオートＩＳＯでない場合、システム制御部５０は、ＩＳＯ感度に、ＩＳＯ感度設定の項目で設定されているユーザ設定のＩＳＯ感度を設定する（ステップＳ３４）。
【００５８】
そして、システム制御部５０は、ユーザ設定の絞り値と、上記ステップＳ３１〜ステップＳ３５の処理で設定されたＩＳＯ感度と、測光回路４２からの輝度情報とから、シャッタスピード（Ｔｖ）を算出する（ステップＳ３６、シャッタ速度演算手段）。
【００５９】
システム制御部５０は、シャッタスピード（シャッタ秒時）が周知の手振れ秒時（１／ｆ）以上の高速秒時であるか否かを判別する（ステップＳ３７）。なお、手振れ秒時を示す１／ｆという値は、交換レンズ２２０の焦点距離の逆数を表している。高速秒時である場合、システム制御部５０は本処理を終了して元の処理に復帰する。
【００６０】
一方、ステップＳ３７でシャッタスピードが手振れ秒時（１／ｆ）よりも遅い低速秒時である場合、システム制御部５０は、ＩＳＯ感度がオートＩＳＯであるか否かを判別する（ステップＳ３８、決定選択手段）。
【００６１】
ＩＳＯ感度がオートＩＳＯである場合、システム制御部５０は、シャッタスピード（Ｔｖ）を１／ｆに設定する（ステップＳ３９）。つまり、Ｔｖのメモリ領域に１／ｆのシャッタスピードが格納される。
【００６２】
次に、システム制御部５０は、ＩＳＯセイフティシフト設定の項目が「する」に選択されているか否かを判別する（ステップＳ４０）。ＩＳＯセイフティシフト設定の項目が「する」に選択されている場合、システム制御部５０は、ＩＳＯ制御範囲の設定を無視して自動ＩＳＯシフト演算を行う（ステップＳ４１）。一方、ＩＳＯセイフティシフト設定の項目が「しない」に選択されている場合、システム制御部５０は、ＩＳＯ制御範囲の設定内で自動ＩＳＯシフト演算を行う（ステップＳ４２）。ここで、自動ＩＳＯシフト演算とは、適正露光となるように、ＩＳＯ感度をシフトさせる演算である。ステップＳ４１、Ｓ４２の処理は感度決定手段に相当する。
【００６３】
ステップＳ４１とステップＳ４２の演算の差は、ＩＳＯ感度のシフト範囲に、ＩＳＯ感度の制御範囲の設定の項目で決定された範囲を使用するか否かの差である。ＩＳＯ感度の制御範囲の設定の項目で決定された範囲を使用しない場合、ＩＳＯ感度の範囲は、良好な画像を得ることができる最も広い範囲として予め決定された範囲となる。なお、この予め決定された範囲は、ＩＳＯ感度の制御範囲の設定の項目で設定可能な範囲以上に広い範囲とする。
【００６４】
システム制御部５０は、ＩＳＯ感度をシフトさせた結果、露出が適正露出であるか否かを判別する（ステップＳ４３）。露出が適正露出である場合、システム制御部５０は本処理を終了し、元の処理に復帰する。
【００６５】
一方、露出が適正露出でない場合、システム制御部５０はシャッタスピードを再度演算する（ステップＳ４４）。なお、ステップＳ４４の処理に移行する場合、シャッタスピードは手振れ秒時よりも遅い秒時（手振れし易い秒時）に設定される。この後、システム制御部５０は本処理を終了して元の処理に復帰する。
【００６６】
一方、ステップＳ３８でＩＳＯ感度がオートＩＳＯでない場合、システム制御部５０は、ＩＳＯセイフティシフト設定の項目が「する」に選択されているか否かを判別する（ステップＳ４５）。ＩＳＯセイフティシフト設定の項目が「する」に選択されている場合、露出が適正露出であるか否かを判別する（ステップＳ４６）。演算した結果、露出が適正露出である場合、システム制御部５０は本処理を終了して元の処理に復帰する。
【００６７】
一方、露出が適正露出でない場合、システム制御部５０は、ＩＳＯ制御範囲の設定を無視して、つまり、ＩＳＯ制御範囲の設定に従うことなく、自動ＩＳＯシフト演算を行う（ステップＳ４７）。この後、システム制御部５０は本処理を終了して元の処理に復帰する。
【００６８】
また、ステップＳ２３でＡｖ優先モードでない場合、システム制御部５０は、Ｔｖ優先モードであるか否かを判別する（ステップＳ２５）。Ｔｖ優先モードである場合、システム制御部５０は、Ｔｖ優先モード用演算として、ユーザ設定のシャッタスピードとＩＳＯ感度と測光回路４２からの輝度情報とから、絞り値（Ａｖ）を算出する（ステップＳ２６）。この後、システム制御部５０は本処理を終了し、元の処理に復帰する。
【００６９】
一方、ステップＳ２５でＴｖ優先モードでない場合、システム制御部５０は、プログラムモードであるか否かを判別する（ステップＳ２７）。プログラムモードである場合、システム制御部５０は、プログラムモード用演算として、ＩＳＯ感度と、測光回路４２からの輝度情報とから、シャッタスピードおよび絞り値を算出する（ステップＳ２８）。
【００７０】
図７はステップＳ２８におけるプログラムモード用演算処理手順を示すフローチャートである。システム制御部５０は、ＩＳＯ感度がオートＩＳＯであるか否かを判別する（ステップＳ５１）。ＩＳＯ感度がオートＩＳＯでない場合、システム制御部５０は、撮影時で使用する内部メモリのＩＳＯ領域に、ＩＳＯ感度として、ユーザ設定値を設定する（ステップＳ５４）。
【００７１】
一方、ＩＳＯ感度がオートＩＳＯである場合、システム制御部５０は、ＩＳＯセイフティシフト設定の項目が「する」に選択されているか否かを判別する（ステップＳ５２）。ＩＳＯセイフティシフト設定の項目が「する」に選択されている場合、システム制御部５０は、撮影時で使用する内部メモリのＩＳＯ領域に、ＩＳＯ感度として、値１００を設定する（ステップＳ５３）。
【００７２】
一方、ＩＳＯセイフティシフト設定の項目が「しない」に選択されている場合、システム制御部５０は、内部メモリのＩＳＯ領域に、ＩＳＯ感度として、ＩＳＯ感度の制御範囲の設定の項目で設定されている下限値を設定する（ステップＳ５５）。なお、図７の「ＩＳＯ」、「Ｔｖ」は、それぞれ撮影時に制御されるＩＳＯ感度とシャッタスピードを格納しているメモリ領域の値を指す。
【００７３】
システム制御部５０は、ステップＳ５１〜ステップＳ５５の処理で設定されたＩＳＯ感度と、測光回路４２からの輝度情報とから、周知のプログラム演算に従って、Ａｖ値およびＴｖ値を算出する（ステップＳ５６）。
【００７４】
システム制御部５０は、シャッタスピードが周知の手振れ秒時（１／ｆ）以上の高速秒時であるか否かを判別する（ステップＳ５７）。シャッタスピードが手振れ秒時以上の高速秒時である場合、システム制御部５０は本処理を終了して元の処理に復帰する。
【００７５】
一方、シャッタスピードが手振れ秒時以上の高速秒時でない場合、システム制御部５０は、ＩＳＯ感度がオートＩＳＯであるか否かを判別する（ステップＳ５８）。ＩＳＯ感度がオートＩＳＯである場合、システム制御部５０は、Ｔｖ値に１／ｆのシャッタスピードを設定する（ステップＳ５９）。
【００７６】
システム制御部５０は、ＩＳＯセイフティシフト設定の項目が「する」に選択されているか否かを判別する（ステップＳ６０）。ＩＳＯセイフティシフト設定の項目が「する」に選択されている場合、システム制御部５０は、ＩＳＯ制御範囲の設定を無視して自動ＩＳＯシフト演算を行う（ステップＳ６１）。
【００７７】
一方、ＩＳＯセイフティシフト設定の項目が「しない」に選択されている場合、システム制御部５０は、ＩＳＯ制御範囲の設定内で自動ＩＳＯシフト演算を行う（ステップＳ６２）。ここで、自動ＩＳＯシフト演算とは、適正露光となるように、ＩＳＯ感度をシフトさせる演算である。
【００７８】
ステップＳ６１とステップＳ６２の演算の差は、図６のステップＳ４１とステップＳ４２の演算の差と同様で、ＩＳＯ感度のシフト範囲がＩＳＯ感度の制御範囲の設定の項目で決定された範囲を使用するか否かの差である。
【００７９】
システム制御部５０は、ＩＳＯ感度をシフトさせた結果、露出が適正露出であるか否かを判別する（ステップＳ６３）。露出が適正露出である場合、システム制御部５０は本処理を終了して元の処理に復帰する。
【００８０】
一方、露出が適正露出でない場合、システム制御部５０は、シャッタスピードと絞り値を再度演算する（ステップＳ６４）。この後、システム制御部５０は本処理を終了して元の処理に復帰する。なお、ステップＳ６４の処理に移行する場合、シャッタスピードは手振れ秒時よりも遅い秒時に設定される。
【００８１】
一方、ステップＳ５８でＩＳＯ感度がオートＩＳＯでない場合、システム制御部５０は、ＩＳＯセイフティシフト設定の項目が「する」に選択されているか否かを判別する（ステップＳ６５）。ＩＳＯセイフティシフト設定の項目が「する」に選択されている場合、システム制御部５０は、演算した結果、露出が適正露出であるか否かを判別する（ステップＳ６６）。
【００８２】
露出が適正露出である場合、システム制御部５０は本処理を終了して元の処理に復帰する。一方、露出が適正露出でない場合、システム制御部５０は、ＩＳＯ制御範囲の設定を無視して自動ＩＳＯシフト演算を行う（ステップＳ６７）。この後、システム制御部５０は本処理を終了して元の処理に復帰する。また、ステップＳ２７でプログラムモードでない場合も、システム制御部５０は本処理を終了して元の処理に復帰する。そして、元の処理に復帰した後、システム制御部５０は図５の処理を終了して元の処理に復帰する。
【００８３】
ステップＳ９で測光演算を行った後、システム制御部５０は、測光演算等により求められたシャッタ秒時、絞り値等のカメラの情報を画像表示部２８に表示する（ステップＳ１０）。
【００８４】
システム制御部５０は、撮影操作ＳＷ、つまり撮影開始スイッチ（ＳＷ２）がオンであるか否かを判別する（ステップＳ１１）。撮影操作ＳＷがオンである場合、システム制御部５０は、周知の撮像素子５のゲイン設定、蓄積動作および読み出し動作を行うとともに、画像処理、画像書き込み等の静止画の撮影動作を行う（ステップＳ１２）。この後、システム制御部５０はステップＳ２の処理に戻る。
【００８５】
一方、ステップＳ１１で撮影操作ＳＷがオフである場合、システム制御部５０は、測光／ＡＦ開始ＳＷがオンであるか否かを判別する（ステップＳ１３）。測光／ＡＦ開始ＳＷがオンである場合、システム制御部５０はステップＳ２の処理に戻る。
【００８６】
一方、測光／ＡＦ開始ＳＷがオフである場合、システム制御部５０は、カメラの動作電源ＳＷ（図示せず）がオンであるか否かを判別する（ステップＳ１４）。カメラの動作電源ＳＷがオンである場合、システム制御部５０はステップＳ２の処理に戻る。
【００８７】
一方、カメラの動作電源ＳＷがオフである場合、システム制御部５０は、カメラの動作を終了させるために、周辺回路への電源オフの指示やデータの退避等の終了設定を行い（ステップＳ１５）、本処理を終了する。
【００８８】
このように、本実施形態によれば、ＩＳＯセイフティシフトが許可されていない場合、オートＩＳＯにより設定されるＩＳＯ感度の範囲は、ＩＳＯ感度の制御範囲内で決定されるので、ユーザが設定したＩＳＯ感度の範囲で手振れを抑制した撮影が可能となる。
【００８９】
さらに、ＩＳＯセイフティシフトが許可されている場合、設定されるＩＳＯ感度の範囲は、ユーザにより設定されたＩＳＯ感度の制御範囲以上の広い範囲となるので、セイフティシフトが許可されていない場合よりも手振れを抑制した撮影が可能となる。
【００９０】
従って、撮影感度の範囲がユーザにより狭く設定されていても、撮影感度の範囲の変更が許可されている場合、必要に応じて撮影感度の範囲が広くなるので、被写体の輝度の変化に対応して良好な画像を撮影することができる。
【００９１】
また、撮影感度が自動で決定されるので、撮影感度の範囲の変更が許可されていない場合、設定された撮影感度の範囲で手振れを抑制した撮影が可能となる。また、撮影感度の範囲の変更が許可されている場合、設定された撮影感度の範囲とは関係なくなり、撮影感度の範囲の変更を行わない場合よりも手振れを抑制した撮影が可能である。また、設定された撮影感度の範囲ではシャッタ速度が手振れ秒時よりも遅くなり、かつ適正露出が得られない場合のみ、設定された撮影感度の範囲を超えて撮影感度が決定されるので、手振れを抑制するとともに良好な露出の画像を撮影することができる。
【００９２】
［第２の実施形態］
第２の実施形態の撮像装置について説明する。前記第１の実施形態の図１〜図５は、第２の実施形態においても同じであるので、その説明を省略する。
【００９３】
図８は第２の実施形態のステップＳ２４におけるＡｖ優先モード用演算処理手順を示すフローチャートである。システム制御部５０は、ＩＳＯ感度がオートＩＳＯであるか否かを判別する（ステップＳ７１）。
【００９４】
ＩＳＯ感度がオートＩＳＯである場合、システム制御部５０は、メモリのＩＳＯ領域に、ＩＳＯ感度として、ＩＳＯ感度の制御範囲の設定の項目で設定されている下限値を設定する（ステップＳ７２）。一方、ＩＳＯ感度がオートＩＳＯでない場合、システム制御部５０は、メモリのＩＳＯ領域に、ＩＳＯ感度として、ＩＳＯ感度の設定の項目で設定されているユーザ設定のＩＳＯ感度を設定する（ステップＳ７３）。なお、図８の「ＩＳＯ」、「Ｔｖ」は、それぞれ撮影時に制御されるＩＳＯ感度とシャッタスピードを格納しているメモリ領域の値を指す。
【００９５】
システム制御部５０は、ユーザ設定の絞り値と、上記ステップＳ７１〜Ｓ７３の処理で設定されたＩＳＯ感度と、測光回路４２からの輝度情報とから、シャッタスピード（Ｔｖ）を算出する（ステップＳ７４）。
【００９６】
システム制御部５０は、シャッタスピードが周知の手振れ秒時（１／ｆ）以上の高速秒時であるか否かを判別する（ステップＳ７５）。高速秒時である場合、システム制御部５０は本処理を終了して元の処理に復帰する。
【００９７】
一方、システム制御部５０は、シャッタスピードが周知の手振れ秒時（１／ｆ）よりも遅い低速秒時である場合、ＩＳＯ感度がオートＩＳＯであるか否かを判別する（ステップＳ７６）。ＩＳＯ感度がオートＩＳＯである場合、システム制御部５０は、Ｔｖ値に１／ｆのシャッタスピードを設定する（ステップＳ７７）。
【００９８】
そして、システム制御部５０は、ＩＳＯ制御範囲内で自動ＩＳＯシフト演算を行う（ステップＳ７８）。ここで、自動ＩＳＯシフト演算とは、適正露光となるように、ＩＳＯ感度をシフトさせる演算である。
【００９９】
ＩＳＯ感度をシフトさせた結果、システム制御部５０は、露出が適正露出であるか否かを判別する（ステップＳ７９）。ＩＳＯ感度をシフトさせた結果、露出が適正露出である場合、システム制御部５０は本処理を終了して元の処理に復帰する。
【０１００】
一方、露出が適正露出でない場合、システム制御部５０は、シャッタスピードを再度演算する（ステップＳ８０）。なお、ステップＳ８０の処理に移行する場合、シャッタスピードは手振れ秒時よりも遅い秒時に設定される。
【０１０１】
ステップＳ８０の処理後、あるいはステップＳ７６でＩＳＯ感度がオートＩＳＯでない場合、システム制御部５０は、ＩＳＯセイフティシフト設定の項目が「する」に選択されているか否かを判別する（ステップＳ８１）。
【０１０２】
ＩＳＯセイフティシフト設定の項目が「する」に選択されている場合、システム制御部５０は、上記演算した結果、露出が適正露出であるか否かを判別する（ステップＳ８２）。露出が適正露出である場合、システム制御部５０は本処理を終了して元の処理に復帰する。
【０１０３】
一方、露出が適正露出でない場合、システム制御部５０は、ＩＳＯ制御範囲の設定を無視して自動ＩＳＯシフト演算を行う（ステップＳ８３）。この後、システム制御部５０は本処理を終了して元の処理に復帰する。また、ＩＳＯセイフティシフト設定の項目が「しない」に選択されている場合、システム制御部５０は本処理を終了して元の処理に復帰する。
【０１０４】
図９はステップＳ２８におけるプログラムモード用演算処理手順を示すフローチャートである。システム制御部５０は、ＩＳＯ感度がオートＩＳＯであるか否かを判別する（ステップＳ９１）。
【０１０５】
オートＩＳＯである場合、システム制御部５０は、ＩＳＯ領域に、ＩＳＯ感度として、ＩＳＯ感度の制御範囲の設定の項目で設定されている下限値を設定する（ステップＳ９２）。一方、オートＩＳＯでない場合、システム制御部５０は、ＩＳＯ領域に、ＩＳＯ感度として、ＩＳＯ感度設定の項目で設定されているユーザ設定のＩＳＯ感度を設定する（ステップＳ９３）。なお、図９の「ＩＳＯ」、「Ｔｖ」は、それぞれ撮影時に制御されるＩＳＯ感度とシャッタスピードを格納しているメモリ領域の値を指す。
【０１０６】
システム制御部５０は、上記ステップＳ９１〜Ｓ９３の処理で設定されたＩＳＯ感度と、測光回路４２からの輝度情報とから、周知のプログラム演算に従って、Ａｖ値およびＴｖ値を算出する（ステップＳ９４）。
【０１０７】
システム制御部５０は、シャッタスピードが周知の手振れ秒時（１／ｆ）以上の高速秒時であるか否かを判別する（ステップＳ９５）。高速秒時である場合、システム制御部５０は本処理を終了して元の処理に復帰する。
【０１０８】
一方、低速秒時である場合、システム制御部５０は、ＩＳＯ感度がオートＩＳＯであるか否かを判別する（ステップＳ９６）。オートＩＳＯである場合、システム制御部５０は、Ｔｖ領域に、Ｔｖ値として、１／ｆのシャッタスピードを設定する（ステップＳ９７）。
【０１０９】
システム制御部５０は、ＩＳＯ制御範囲の設定内で自動ＩＳＯシフト演算を行う（ステップＳ９８）。ここで、自動ＩＳＯシフト演算とは、適正露光となるように、ＩＳＯ感度をシフトさせる演算である。
【０１１０】
システム制御部５０は、ＩＳＯ感度をシフトさせた結果、露出が適正露出であるか否かを判別する（ステップＳ９９）。適正露出である場合、システム制御部５０は本処理を終了して元の処理に復帰する。
【０１１１】
一方、適正露出でない場合、システム制御部５０は、シャッタスピードと絞り値を再度演算する（ステップＳ１００）。なお、ステップＳ１００の処理に移行する場合、シャッタスピードは手振れ秒時よりも遅い秒時に設定される。
【０１１２】
ステップＳ１００の処理後、あるいはステップＳ９６でＩＳＯ感度がオートＩＳＯでない場合、システム制御部５０は、ＩＳＯセイフティシフト設定の項目が「する」に選択されているか否かを判別する（ステップＳ１０１）。
【０１１３】
ＩＳＯセイフティシフト設定の項目が「する」に選択されている場合、システム制御部５０は、上記演算した結果、露出が適正露出であるか否かを判別する（ステップＳ１０２）。適正露出である場合、システム制御部５０は本処理を終了して元の処理に復帰する。
【０１１４】
一方、適正露出でない場合、システム制御部５０は、ＩＳＯ制御範囲の設定を無視して自動ＩＳＯシフト演算を行う（ステップＳ１０３）。この後、システム制御部５０は本処理を終了して元の処理に復帰する。
【０１１５】
このように、本実施形態によれば、ＩＳＯセイフティシフトが許可されているか否かに関わらず、オートＩＳＯの場合におけるＩＳＯ感度は、ＩＳＯ感度の制御範囲内で決定されるので、ユーザが設定したＩＳＯ感度範囲での撮影が主体となる。
【０１１６】
さらに、ＩＳＯセイフティシフトが許可されている場合、オートＩＳＯ演算後のＩＳＯ感度とＡｖとＴｖを総合した露出が、適正露出でない場合のみ、ＩＳＯ制御範囲の設定を無視して自動ＩＳＯシフト演算が行われる。これにより、良好な露出の画像を撮影することができる。
【０１１７】
このように、ユーザにより設定された撮影感度の範囲で決定された撮影感度で適正な露出が得られない場合のみ、設定された感度の範囲を超えて撮影感度が決定されるので、ユーザの意図する撮影感度をできるだけ反映させた撮影を行うことができる。
【０１１８】
なお、本発明は、上記実施形態の構成に限られるものではなく、特許請求の範囲で示した機能、または本実施形態の構成が持つ機能が達成できる構成であればどのようなものであっても適用可能である。
【０１１９】
例えば、上記実施形態では、シャッタスピードが周知の手振れ秒時（１／ｆ）より低速秒時である場合、１／ｆのシャッタスピードに設定し、ＩＳＯ感度のシフト演算を行っていたが、１／ｆのシャッタスピードより速いシャッタスピードに設定してもよい。
【０１２０】
また、上記実施形態では、ＩＳＯセイフティシフトが許可である場合、設定されたＩＳＯ感度の制御範囲を解除していたが、解除する代わりに、例えば設定されたＩＳＯ感度の制御範囲より広い範囲に変更するようにしてもよい。
【０１２１】
また、上記実施形態では、測光センサから出力される被写体の輝度信号を測光回路から得ていたが、撮像素子から被写体の輝度情報を得るようにしてもよい。
【０１２２】
また、上記実施形態では、カメラ１００に着脱可能な交換レンズ２２０が装着された場合を例にあげて説明を行ったが、レンズ部がカメラに固定されているタイプのカメラシステムでも上記実施形態を達成することが可能であることは言うまでもない。
【０１２３】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【０１２４】
２８  画像表示部
４２  測光回路
５０  システム制御部
６０  モードダイヤルスイッチ
１００  カメラ
【図１】
2011087107.tif 000003
【図２】
2011087107.tif 000004
【図３】
2011087107.tif 000005
【図４】
2011087107.tif 000006
【図５】
2011087107.tif 000007
【図６】
2011087107.tif 000008
【図７】
2011087107.tif 000009
【図８】
2011087107.tif 000010
【図９】
2011087107.tif 000011